(57)【要約】      （修正有）【課題】嵩張らず輸送コストが安く、また、非常に幼い子供が手で跳ね上げたりして遊ぶことの出来る縫いぐるみ玩具を提供する。【解決手段】縫いぐるみ玩具１は、空気収納体２０と、外皮部材１０と、を備え、外皮部材は、空気収納体を収納開口部４から収納する収納部２と、既充填部３とを有し、既充填部３は、収納部の半分以下の大きさであると共に、予め外皮部材の内部に充填物が充填されており、収納開口部４は、外皮部材に矩形に設けた矩形穴と、この矩形穴を塞ぐ大きさで矩形穴を開閉自在とする一側面ファスナ及び他側面ファスナ７とを備え、一側面ファスナは、その一方の長辺を矩形穴の開口長辺の一側に沿って縫い付けられると共に、そのファスナ面を複数に等分する位置に切込部を形成する。【選択図】図１
0003170141.tif 000002
【実用新案登録請求の範囲】
【請求項１】
空気を入れて栓をする吹込口を有し空気の吹き込みで膨らみ、空気の抜き取りでしぼむ空気収納体と、この空気収納体を収納及び取出す収納開口部が形成され、前記収納開口部から収納された前記空気収納体に空気を吹き込み膨らませたときに玩具外観形状を示すように設けられた外皮部材と、を備え、
前記外皮部材は、前記空気収納体を収納する収納部と、この収納部の下方に接続して前記玩具外観形状の一部を示す既充填部とを有し、
前記既充填部は、前記収納部の半分以下の大きさであると共に、予め前記外皮部材の内部に充填物が充填されており、
前記収納開口部は、前記外皮部材に矩形に設けた矩形穴と、この矩形穴を塞ぐ大きさで当該矩形穴を開閉自在とする一側面ファスナ及び他側面ファスナとを備え、
前記一側面ファスナは、その一方の長辺を前記矩形穴の開口長辺の一側に沿って縫い付けられると共に、長手方向に直交する方向において当該ファスナ面を複数に分ける位置に切込部を形成し、
前記他側面ファスナは、前記一側面ファスナの縫いつけた一方の長辺とは反対となる長辺を前記矩形穴の開口長辺の他側に沿って縫いつけて設けられると共に、当該他側面ファスナの裏面に前記外皮部材と同じ素材の部材が設けられ、
前記切込部は、前記一側面ファスナの他方の長辺から一方の長辺に向かって形成されると共に、前記縫い付けられた一方の長辺まで向かう長さの半分以上の長さに亘って形成されていることを特徴とする縫いぐるみ玩具。
【請求項２】
前記一側面ファスナは、その両短辺が、前記矩形穴の開口短辺の両側となる前記外皮部材に沿って縫い付けられていることを特徴とする請求項１に記載の縫いぐるみ玩具。
【請求項３】
前記切込部は、前記一面側ファスナのファスナ面を分ける位置として２等分、３等分、または、４等分するいずれかの位置に形成されることを特徴とする請求項１に記載の縫いぐるみ玩具。
【請求項４】
前記空気収納体の中に鈴が入れられていると共に、前記収納部に吊下用紐が設けられていることを特徴とする請求項１に記載の縫いぐるみ玩具。
【考案の詳細な説明】
【技術分野】
【０００１】
本考案は、空気の吹き込みにより膨らみ、空気の排出により縮小する空気収納体を使用する縫いぐるみ玩具に関するものである。
【背景技術】
【０００２】
従来、縫いぐるみ玩具は、表面が布で形成され、動物や人形等の形態及び着色が施された布表面部材と、この布表面部材の中にその形を維持するための詰め物としてポリエステル綿等の芯材とにより構成され、芯材により特定の形状に膨らませてその外観形状を維持している（特許文献１参照）。
【先行技術文献】
【特許文献】
【０００３】
【特許文献１】特開２００４−１６５５４号公報
【考案の概要】
【考案が解決しようとする課題】
【０００４】
従来の縫いぐるみ玩具は、外観形状を維持するために芯材が詰め込まれているので、小さくすることを考えていない。従って、小さくする事が出来ないので、この縫いぐるみ玩具を大量に輸送する時には、嵩張り輸送コストが高く付いていた。また、縫いぐるみ玩具は大きいものから小さいものまで様々なサイズがあるが、少し大きなものは持ち運ぶときに嵩張ってしまう。さらに、縫いぐるみ玩具は、綿のような軽い詰め物を使用していても、非常に幼い子供が手で跳ね上げたりして遊ぶときには、芯材が重いと言う欠点があった。
本考案は、前記した問題点に鑑みて創案されたものであり、軽くて、小さくする事が出来、嵩張らない縫いぐるみ玩具を提供することを課題としている。
【課題を解決するための手段】
【０００５】
本考案に係る縫いぐるみ玩具は、前記課題を解決するため、以下に示すような構成とした。すなわち、縫いぐるみ玩具は、空気を入れて栓をする吹込口を有し空気の吹き込みで膨らみ、空気の抜き取りでしぼむ空気収納体と、この空気収納体を収納及び取出す収納開口部が形成され、前記収納開口部から収納された前記空気収納体に空気を吹き込み膨らませたときに玩具外観形状を示すように設けられた外皮部材と、を備えている。そして、縫いぐるみ玩具において、前記外皮部材は、前記空気収納体を収納する収納部と、この収納部の下方に接続して前記玩具外観形状の一部を示す既充填部とを有し、前記基充填部は、前記収納部の半分以下の大きさであると共に、予め前記外皮部材の内部に充填物が充填されており、前記収納開口部は、前記外皮部材に矩形に設けた矩形穴と、この矩形穴を塞ぐ大きさで当該矩形穴を開閉自在とする一側面ファスナ及び他側面ファスナとを備えている。さらに、縫いぐるみ玩具において、前記一側面ファスナは、その一方の長辺を前記矩形穴の開口長辺の一側に沿って縫い付けられると共に、長手方向に直交する方向において当該ファスナ面を複数に等分する位置に切込部を形成し、前記他側面ファスナは、前記一側面ファスナの縫いつけた一方の長辺とは反対となる長辺を前記矩形穴の開口長辺の他側に沿って縫いつけて設けられると共に、当該他側面ファスナの裏面に前記外皮部材と同じ素材の部材が設けられ、前記切込部は、前記一側面ファスナの他方の長辺から一方の長辺に向かって形成されると共に、前記縫い付けられた一方の長辺まで向かう長さの半分以上の長さに亘って形成されている構成とした。
【０００６】
かかる構成により、縫いぐるみ玩具は、例えばエアボールのような空気収納体を、空気を抜いてしぼませた状態で、収納開口部の一側面ファスナ及び他側面ファスナを互いに離間する方向に操作することで開口して、外皮部材の収納部の中に収納させている。そして、縫いぐるみ玩具は、空気収納体の吹込口から空気を入れて膨らませて栓をし、一側面ファスナと他側面ファスナとを対面させて当接させることでファスナ同士を係合して開口部を封止されている。このとき、空気収納体が膨らんで外皮部材が曲面形状を形成したときに、一側面ファスナに切込部が形成されていることと、他側面ファスナの長辺側のみが縫い付けられていることにより、その曲面形状に沿った状態で矩形穴を塞ぐようになる。縫いぐるみ玩具は、空気収納体が外皮部材の中で膨らむことで外皮部材が予め設定されている例えば動物、キャラクター、人形等の頭部の玩具外観形状を示す。そして、縫いぐるみ玩具は、玩具外観形状の内、前記した頭部以外の例えば胴体を示すように外皮部材が設けられた既充填部には、例えばポリエステル綿等の既存の充填物が充填されて半分以下の大きさで設けられているので、収納部及び既充填部が全体で、玩具外観形状を示すことができる。
【０００７】
そして、縫いぐるみ玩具において、好ましくは、前記一側面ファスナは、その両短辺が、前記矩形穴の開口短辺の両側となる外皮部材に沿って縫い付けられている構成とし、さらに、前記切込部は、ファスナ面を分ける位置として２等分、３等分、または、４等分するいずれかの位置に形成される構成とした。また、縫いぐるみ玩具は、前記空気収納体の中に鈴が入れられていると共に、収納部に吊下用紐が設けられている構成としても構わない。
【０００８】
かかる構成により、縫いぐるみ玩具は、一側面ファスナの両短辺が矩形穴の開口短辺となる外皮部材に縫い付けられていることで、開口操作性を維持して取付強度を高めている。また、一側面ファスナに形成した切込部を２等分、３等分あるいは４等分するいずれかとすることで、縫いぐるみ玩具の玩具外観形状に沿って適宜切込部を設定することができる。さらに、縫いぐるみ玩具の空気収納体の中に鈴をいれることで、空気収納体が変位することに伴い鈴の音がなり、吊下用紐を設けることで用途を広げることができる。
【考案の効果】
【０００９】
この考案に係る縫いぐるみ玩具は、以下に示すような効果を奏するものである。
縫いぐるみ玩具は、玩具外観形状を示すように設けた外皮部材の収納部に空気収納体を入れて膨らませ、外皮部材の既充填部と併せて全体を構成しているので、軽量で安全な使用が可能となる。また、縫いぐるみ玩具は、空気収納体から空気を抜いて持ち運ぶことが可能であるので、嵩張らず、かつ、空気収納体に空気を入れたときにも一側面ファスナ及び他側面ファスナにより矩形穴を曲面形状に沿って覆うようになるため、外観を損ねることがない。
【００１０】
縫いぐるみ玩具は、一側面ファスナの両短辺を外皮部材に縫い付けることで、収納開口部の開閉作業による劣化を防止し、また、切込部の位置として２等分、３等分あるいは４等分のいずれかにすることで、大きさまたは曲面形状等により使い分けして、その形状大きさに合わせてより適切に面ファスナの開閉操作を行うことができる。また、縫いぐるみ玩具は、空気収納体の中に鈴を入れることで、使用者（幼児等）の聴覚に働きかけて興味をよりそそるものとすることができ、吊下用紐を設けることで使用用途を広げることができる。
【図面の簡単な説明】
【００１１】
【図１】本考案に係る縫いぐるみ玩具を裏面から模式的に示す斜視図である。
【図２】本発明に係る縫いぐるみ玩具の収納部に形成した収納開口部について示し、（ａ）は、収納部の矩形穴を他側面ファスナで覆った状態について一部を省略して拡大して示す斜視図、（ｂ）は、収納部の矩形穴を覆う他側面ファスナを一側面ファスナから離間させた状態について一部を省略して拡大して示す斜視図である。
【図３】本考案に係る縫いぐるみ玩具の外皮部材の収納部に空気収納体の空気を抜いた状態で収納する様子を模式的に示す斜視図である。
【図４】本考案に係る縫いぐるみ玩具の外皮部材の収納部に空気収納体を収納した状態で、空気収納体に空気を入れる様子を模式的に示す斜視図である。
【考案を実施するための形態】
【００１２】
以下、本考案に係る縫いぐるみ玩具を図面に基づいて説明する。
図１に示すように、縫いぐるみ玩具１は、玩具外観形状が形成されるように縫製された外皮部材１０と、この外皮部材１０の一側に形成された収納部２と、この収納部２に連続して形成された既充填部３と、収納部２に設けた吊下用紐９と、収納部２に設けた収納開口部４から収納される空気収納体である球状のエアボール２０と、を備えている。
【００１３】
外皮部材１０は、布素材、合成皮等、一般的に縫いぐるみで使用される素材から構成され、例えば、キャラクター、人形や、動物等となるようにその外観形状が縫合され適宜着色されている。そして、外皮部材１０は、特に、頭部と胴体を備える外観形状である場合には、その頭部を収納部２とし、その収納部に接続して胴体部となる既充填部３とを設けている。また、収納部２は、既充填部３との割合が２倍以上となるように構成されており、例えば、７〜１０対１となるような割合の関係で構成されている。
【００１４】
収納部２は、内部にエアボール２０が収納できるように内側が空洞に形成され、その外側には人形の顔が刺繍あるいは他の色の布が縫い付けられることで形成されている。収納部２の外観形状として、例えば、眉毛と口は刺繍で形成され、目と頬は布が縫いつけられることで形成され、鼻は、内部に綿を詰めて立体的に形成した部材を縫い付けて形成されている。収納部２は、キャラクター、人形、動物等の外観形状に合う様に立体的な形状に外皮部材１０が縫合され、ここでは、キャラクター、人形、動物等の頭部を表わすように立体的に縫合され、縫合されたことにより縫合線部１０ａが形成されている。
【００１５】
収納部２の顔となる面の反対面側には、エアボール２０を収納あるいは取出を行う収納開口部４が形成されている。この収納開口部４は、外皮部材１０の縫合線部１０ａに沿って形成された矩形穴５と、この矩形穴５を開閉自在とする面ファスナＭｆを備えている。そして、面ファスナＭｆは、矩形穴５の一側開口長辺に沿って縫い付けられた一側面ファスナ６と、矩形穴５の他側開口長辺に沿って縫い付けられた他側面ファスナ７とを備えている。
矩形穴５はエアボール２０の空気を抜かれた状態で収納できる大きさに形成されている。この矩形穴５は、ここでは頭部を立体的に形取るための縫合線部１０ａに沿って縦長な長方形に形成されている。
【００１６】
図２（ａ）、（ｂ）に示すように、一側面ファスナ６は、矩形穴５を他側面ファスナ７と共同して開閉自在にするものである。この一側面ファスナ６は、矩形穴５と同等あるいは矩形穴５を覆うことのできる大きさに形成され、その一方の長辺６ａを矩形穴５の一側開口長辺に沿って縫い付けられている。なお、ここでは、一側面ファスナ６は、矩形穴５の内側に沿って縫い付けられ、両短辺６ｂ，６ｂも矩形穴５の開口短辺に沿って縫い付けられている。
【００１７】
また、一側面ファスナ６は、他方の長辺から一方の長辺６ａに向かって切込部８が形成されることで、ファスナ面が長手方向に分けられて矩形穴５に連通しやすくなるように形成されている。この切込部８が一側面ファスナ６に形成されることで、切込部８の位置においてファスナ面の一部が分断され、一側面ファスナ６で覆われる矩形穴５からのエアボール２０の出し入れを行い易くするためのものである。図２（ｂ）に示すように、切込部８は、ここでは２箇所に等分となる位置に形成されており、他方の長辺から一方の長辺６ａに向かって、全幅Ｌに対して幅中央を越えたＬ１の位置まで切り込まれるように形成されている。また、切込部８は、エアボール２０が膨らんだ状態で収納部２が立体的になったときにその形状に沿うように一側面ファスナ６及び他側面ファスナ７を湾曲させやすくする。
【００１８】
図２（ａ）、（ｂ）に示すように、他側面ファスナ７は、矩形穴５の他側開口長辺に沿って他方の長辺７ａを縫い付けることで、矩形穴５を覆うように設けられている。この他側面ファスナ７は、一側面ファスナ６と対面するファスナ面の裏面に、外皮部材１０と同種類の布片となる部材７ｎが取り付けられ、一側面ファスナ６と共同して矩形穴５を閉じたときには、収納部２の外観に馴染むように、ここでは構成されている。
【００１９】
図１及び図３に示すように、既充填部３は、既存の縫いぐるみで使用されているポリエステル綿等の充填物が予め充填されている。この既充填部３は、キャラクターあるいは動物、人形等となる形態の胴体部分が形取られ、両手、胴体、両足が分かるように形成されている。既充填部３は、ここでは、収納部２の半分以下の大きさになるように構成され、図面では、１／１０〜１／７程度の大きさになるように設定されている。この既充填部３が収納部２の半分以下の大きさであることにより、全体の重さを軽くでき、また、収納部２にエアボール２０が収納されていない場合に、体積を小さくすることが可能となる。また、既充填部３は、特に、収納部２に対して１／１０〜１／５の大きさに形成され、玩具外観形状の胴体部分である場合には、頭部となる収納部２との大小関係がデフォルメされることで視覚的にユニークな印象を与えることになり都合がよい。
【００２０】
図１に示すように、吊下用紐９は、収納部２の先端となる端部に縫い付けられて設けられている。この吊下用紐９は、玩具全体を壁等に設けたフック（図示せず）に係止することや、使用者が手指で把持して使用するためのものである。吊下用紐９は、ここではゴム紐９ａと、このゴム紐９ａの一端に設けた取っ手９ｂとを備えている。
【００２１】
図１及び図３に示すように、エアボール２０は、玩具外観形状に合う形状に形成されており、ここでは、頭部として球体となるものが用いられている。このエアボール２０は、一般的な塩化ビニール等の素材でボール外皮２１が形成され、その一部に空気の出し入れを行なう栓２２が設けられている。また、エアボール２０は、ここでは、その内部に鈴３０が収納されており、収納部２がゆれることや、振動等により鈴音がなるように構成されている。
【００２２】
つぎに、縫いぐるみ玩具１の使用方法について説明する。
図３に示すように、縫いぐるみ玩具１は、収納部２の収納開口部４の他側面ファスナ７を一側面ファスナ６から強制的に引き剥がし、矩形穴５が開くように一側面ファスナ６の切込部８で切れ目が入った位置を手指で広げられる状態とされる。そして、縫いぐるみ玩具１の収納部２の矩形穴５から、空気が抜けているエアボール２０を収納する。
【００２３】
つぎに、図４に示すように、収納部２に収納したエアボール２０の栓２２の部分に空気入れ４０のノズルを挿入して、図示しないハンドル操作により空気をエアボール２０内に入れる。エアボール２０が膨らむことで、収納部２に設けられている顔部分が本来の状態に構成されることになる。エアボール２０に空気が入れられて栓２２がされ、さらに、一側面ファスナ６及び他側面ファスナ７を対面させて矩形穴５を閉じることで、縫いぐるみ玩具１を使用することができる状態となる。
【００２４】
図１に示すように、縫いぐるみ玩具１は、収納部２あるいは既充填部３を持って使用することができ、さらに、吊下用紐９を持って使用することもできる。そして、縫いぐるみ玩具１は、収納部が動くことでエアボール２０内部の鈴３０が鈴音を発生するので、聴覚的にも楽しみを与えることができる。
【００２５】
また、縫いぐるみ玩具１は、工場から出荷されるときや、使用者が棚や収納箱に仕舞って片付けるときや、外皮部材１０が汚れて洗濯するときには、エアボール２０を収納部２から取り出すこともある。エアボール２０を取り出す場合には、収納部２の他側面ファスナ７を一側面ファスナ６から強制的に引き剥がし、一側面ファスナ６を露出させる。そして、一側面ファスナ６の切込部８，８で切り込まれている部分を摘み上げることでエアボール２０の栓２２を露出させ、その栓２２を開口することでエアボール２０内の空気を抜き取る。空気が抜き取られたエアボール２０は、矩形穴５から引っ張り出すことで取り出すことが容易にできる。そして、縫いぐるみ玩具１は、小さく折畳むことが可能となる。
【００２６】
以上説明したように、縫いぐるみ玩具１は、エアボール２０の空気が詰め物の役目をしているので非常に軽い。しかも、エアボール２０であるから空気を抜くと小さくなり、従来の縫いぐるみ玩具の十分の一の体積にする事が出来る。従って、縫いぐるみ玩具を大量に輸送する時でも嵩張らず、しかも軽いので輸送コストが非常に安いし、製造コストの面でも従来の縫いぐるみ玩具の約半分で製造することが出来る。また、縫いぐるみ玩具１は、軽いので、非常に幼い子供でも手で軽く跳ね上げたりして自由に遊ぶ事ができ、その時に鈴の音が出て楽しい玩具となる。
【００２７】
さらに、エアボール２０の中には広い空間があるので、その中に鈴、音声メカ等を入れて音を出した時にも良く響き、従来の縫いぐるみ玩具より大きな音が出る。また、縫いぐるみ玩具１の形は、エアボールの形を変えることにより自由に簡単に変える事も出来る。そして、外皮部材１０が布なので手で触った感触が大変良く、中の詰め物が綿でないので濡らしても直ぐに乾かす事ができる。また、収納部２となる頭部にゴム紐９ａが付いているのでヨーヨーとしても遊ぶ事が出来る。また、切込部８は、等分ではない位置に形成するようにしてもよい。特に中央が長く、その左右が中央より短くなるようにファスナ面に分かれる状態となるようにすることで、矩形穴５の開口を確保してかつ密着性を維持することができる。
【符号の説明】
【００２８】
１      玩具
２      収納部
３      既充填部
４      収納開口部
５      矩形穴
６      一側面ファスナ
６ａ    長辺
６ｂ    両短辺
７      他側面ファスナ
７ａ    長辺
７ｎ    部材
８      切込部
９      吊下用紐
９ａ    ゴム紐
９ｂ    取っ手
１０    外皮部材
１０ａ  縫合線部
２０    エアボール（空気収納体）
２１    ボール外皮
２２    栓
３０    鈴
Ｍｆ    面ファスナ
【図１】
0003170141.tif 000003
【図２】
0003170141.tif 000004
【図３】
0003170141.tif 000005
【図４】
0003170141.tif 000006